(57)【要約】      （修正有）【課題】物品の受渡しを行う受渡しボックスまでの道案内が移動しながら出来、受渡しボックスを受取人が容易に予約して利用することが出来、更にはセキュリティ性の向上を図った受渡しボックスシステム及びそれを利用した受渡しボックスの予約方法及び課金方法を提供する。【解決手段】移動体のナビゲーション装置は、中央管理センターの中央コンピュータにより関連付けられたナビゲーション実行ＩＤ情報及び特定の受渡しボックスの位置情報を受信し、ナビゲーション実行ＩＤ情報に基づいてナビゲーションを自動的に実行すると共に、特定の受渡しボックスの位置情報に基づいて移動体の現在位置から特定の受渡しボックスが設置された移動目的地までの道案内を表示させるように構成したことを特徴とする。【選択図】図３
2005071301.tif 000002
【特許請求の範囲】
【請求項１】
物品の受渡しを行う受渡しボックスシステムであって、
受渡しボックスが設置された位置情報を記憶する受渡しボックス位置情報記憶手段と、
前記受渡しボックス位置情報記憶手段に記憶された位置情報から利用される特定の受渡しボックスの位置情報を出力する受渡しボックス位置情報出力手段と、
移動体の現在位置を測位し、その測位情報に基づいて、該移動体の現在位置に対応する地図情報中に該移動体の現在位置を表示すると共に、入力された移動目的地情報に基づいて該移動体の現在位置から移動目的地までの道案内を実施し得るナビゲーション手段と、
前記受渡しボックス位置情報出力手段により出力された特定の受渡しボックスの位置情報と、前記ナビゲーション手段に移動目的地情報を入力してナビゲーションを実行するためのナビゲーション実行ＩＤ情報と、を関連付けるナビゲーション実行ＩＤ情報関連付け手段と、
前記ナビゲーション実行ＩＤ情報関連付け手段により関連付けられたナビゲーション実行ＩＤ情報及び特定の受渡しボックスの位置情報を受信して、該ナビゲーション実行ＩＤ情報に基づいて前記ナビゲーション手段によるナビゲーションを実行すると共に、該特定の受渡しボックスの位置情報に基づいて前記ナビゲーション手段により前記移動体の現在位置から特定の受渡しボックスが設置された移動目的地までの道案内を実施するナビゲーション実行手段と、
を有することを特徴とする受渡しボックスシステム。
【請求項２】
ＩＤ情報を発信可能な携帯電話機と、
前記携帯電話機から発信されたＩＤ情報を電話機能を有する送受信部で受信して照合し、前記受渡しボックスを解錠する解錠制御手段と、
を有することを特徴とする請求項１に記載の受渡しボックスシステム。
【請求項３】
前記ＩＤ情報は前記携帯電話機自体の電話番号情報、ＩＤ番号情報、声紋情報のうちの何れか一つ、或いはそれ等の組合せであることを特徴とする請求項２に記載の受渡しボックスシステム。
【請求項４】
前記携帯電話機はインターネットが利用可能であり、前記受渡しボックスの配置位置情報、経過利用料金情報、入出荷情報、空き状態情報のうち少なくとも１つがインターネットを介して知得出来ることを特徴とする請求項２または請求項３に記載の受渡しボックスシステム。
【請求項５】
前記受渡しボックスの利用料金は前記携帯電話機の電話番号に対して課金されることを特徴とする請求項２〜４のいずれか１項に記載の受渡しボックスシステム。
【請求項６】
前記携帯電話機から前記受渡しボックスの予約をするために該受渡しボックスの解錠の凍結を遠隔操作出来ることを特徴とする請求項２〜５のいずれか１項に記載の受渡しボックスシステム。
【請求項７】
前記受渡しボックスの空き状態を検知する空き状態検知手段と、
前記空き状態検知手段により検知された空き状態情報を収集して中央管理センターに送信する第１の通信手段と、
前記中央管理センターに送信された空き状態情報を随時記憶する第１の記憶手段と、
前記第１の記憶手段に記憶された空き状態情報を通信網上で閲覧可能に提供するサーバ装置と、
前記通信網上で閲覧した空き状態情報に基づいて予約を希望する受渡しボックスを選択する予約選択手段と、
前記予約選択手段により選択された受渡しボックスの予約ボックスＩＤ情報と、予約を受理した段階で前記中央管理センターが発行するその予約行為に固有の予約者の携帯電話機の電話番号等のＩＤ情報に関連付けられた予約ＩＤ情報とを関連付けて記憶する第２の記憶手段と、
前記予約ボックスＩＤ情報と予約ＩＤ情報とを予約人に送信して報知する第２の通信手段と、
受渡しボックスの予約ボックスＩＤ情報及び予約ＩＤ情報を入力可能な入力手段と、
前記入力手段により入力された予約ボックスＩＤ情報及び予約ＩＤ情報と、前記第２の記憶手段に記憶された予約ボックスＩＤ情報及び予約ＩＤ情報とを照合して、両者が一致した場合に受渡しボックスを解錠する解錠制御手段と、
を有することを特徴とする請求項１に記載の受渡しボックスシステム。
【請求項８】
前記受渡しボックスの予約または預入を受理した段階で中央管理センターが発行する予約行為に固有の予約者の携帯電話機の電話番号等のＩＤ情報に関連付けられた予約ＩＤ情報、或いは受渡しボックスを利用して行う物品の受渡し行為に固有の携帯電話機の電話番号等のＩＤ情報に関連付けられた受取ＩＤ情報に関連付けられた物品代金の決済等の物品受渡し条件を入力する入力手段と、
前記物品受渡し条件と、その履行を記憶する記憶手段と、
前記物品受渡し条件が物品代金の決済を伴う場合に前記受取ＩＤ情報を決済代行人のみに送信して報知する第３の通信手段と、
物品の決済を行う決済手段と、
別途決済による決済履行を前記中央管理センターに送受信して問い合わせる第４の通信手段と、
前記物品受渡し条件の履行を確認した上で前記受渡しボックスのボックスＩＤ情報及び前記受取ＩＤ情報が予約または預入の段階で記憶されたものと一致した場合に前記受渡しボックスを解錠する解錠制御手段と、
を有することを特徴とする請求項１に記載の受渡しボックスシステム。
【請求項９】
前記入力手段及び／または前記第２〜第４の通信手段は、携帯電話機、携帯情報端末機、パーソナルコンピュータ、或いは前記受渡しボックスに設けられたテンキー及びタッチパネルのうちの何れか１つであることを特徴とする請求項７または請求項８に記載の受渡しボックスシステム。
【請求項１０】
前記携帯電話機、携帯情報端末機、パーソナルコンピュータ、或いは前記受渡しボックスに設けられたテンキー及びタッチパネルはインターネットが利用可能であり、前記受渡しボックスの配置位置情報、経過利用料金情報、入出荷情報、空き状態情報、預入依頼情報、預入承諾情報のうち少なくとも１つがインターネットを介して知得出来ることを特徴とする請求項９に記載の受渡しボックスシステム。
【請求項１１】
前記入力手段及び／または前記第２〜第４の通信手段は携帯電話機であり、該携帯電話機の電話番号、或いは通話音声が前記受渡しボックスの予約や、物品の預入れや取出しのための解錠を行う際の認証情報及び該受渡しボックスの利用料金の課金先を兼ねることを特徴とする請求項７〜１０のいずれか１項に記載の受渡しボックスシステム。
【請求項１２】
物品の受渡しを行う受渡しボックスを予約する方法であって、
物品を預け入れる預入人が、該物品を受け取る受取人に対して請求項１〜１１のいずれか１項に記載の受渡しボックスの予約を依頼した後、前記受取人が前記受渡しボックスを預入人のために予約することを特徴とする受渡しボックスの予約方法。
【請求項１３】
物品の受渡しを行う受渡しボックスの課金方法であって、
請求項１〜１１のいずれか１項に記載の受渡しボックスを利用して予約を行う予約人を予め登録しておき、その予約人に対して受渡しボックスの利用料金を課金することを特徴とする受渡しボックスの課金方法。
【請求項１４】
物品の受渡しを行う受渡しボックスの課金方法であって、
請求項１〜１１のいずれか１項に記載の受渡しボックスを利用する際の初期料金を物品を預け入れる預入人に対して課金することを特徴とする受渡しボックスの課金方法。 
【発明の詳細な説明】
【技術分野】
【０００１】
本発明は、物品の受渡しを行うメールボックス（私書箱を含む）、宅配ボックス、クリーニングボックス、コインロッカー等の受渡しボックスシステム及びそれを利用した予約方法及び課金方法に関するものである。
【背景技術】
【０００２】
従来、ロッカーまでの案内ルートを案内する技術としては、特開2002-140632号公報に開示されたように、駅構内に受付装置とロッカーが設置され、受付装置の案内部にその受付装置から利用するロッカーまでの案内ルートを表示するものがある。
【０００３】
一方、空いているボックスの予約を行う技術としては、特開平11-151154号公報に開示されたようにマンション等の集合住宅に設置される宅配物収納ロッカーにおいて配達人等が宅配物収納ロッカーの空いているボックスの予約を行うシステムが提案されている。
【０００４】
上記公知例では宅配物収納ロッカーの使用状況や予約状況のデータが電話回線を介して中央管理装置に送られ、配達人は携帯型の端末装置を使用して電話回線を介して直接宅配物収納ロッカーに予約を行う。そして、予め登録されたＩＣカードを挿入したり、業者ＩＤをテンキーにより入力することで予約人の認証識別を行ってロッカーを解錠することが出来るものである。
【０００５】
また、本出願人は、携帯電話機を利用して解錠できる一時預かりボックス（特開2001-325660号公報）や物品の受取人が予約できる受渡しボックス（特開2002-150426号公報）を提案している。
【０００６】
【特許文献１】特開２００２−１４０６３２号公報（図５）
【特許文献２】特開平１１−１５１１５４号公報
【特許文献３】特開２００１−３２５６６０号公報
【特許文献４】特開２００２−１５０４２６号公報
【発明の開示】
【発明が解決しようとする課題】
【０００７】
しかしながら、前述の特許文献１に記載された公知例では、ロッカーが設置された受付装置の場所に到達するまでの道案内がないため物品の配達人や受取人がその物品の預入人と異なる場合には、物品の預入人から聞いた住所等を手がかりにして地図を参照して受付装置の設置場所を探さなければならず手間がかかるという問題があった。
【０００８】
また、前述の特許文献２に記載された公知例では、予め登録されたマンション等の集合住宅に設置される宅配物収納ロッカーに対して、当該ロッカーの所有者または当該集合住宅の居住者に限定された利用者を受取人とする配達に予め登録された配達人が予約を行うものであるため、外部の一般の者を受取人や配達人として当該ロッカーを利用することは出来ない。
【０００９】
また、利用料金は一般に預入人及び受取人に対して無料であるために宅配物収納ロッカーの購入費及び維持費はマンションの居住者またはオーナーが負担せざるを得ない。従って宅配物収納ロッカーを新たに新設しようとすると、その経費もマンションの居住者またはオーナーが負担することになり、また、その設置スペースを狭い集合玄関先に確保しなければならないため宅配物収納ロッカーを既存のマンションに増設することは困難であった。
【００１０】
また、配達人が一方的に予約したり利用するシステムの場合、受取人からロッカーを受渡し場所とする事前了解をその都度取得したか否かを証明するのは困難でありトラブルが発生し易く、且つ受取人を課金先とすることが出来ないという問題がある。
【００１１】
また、特定の預入人（配達人）に契約で利用料金を課金する宅配ボックスは存在したが、この場合、受取人による引き取りが完了したか否かが顕在化しない時には預入人は再度、物品を回収しに来なければならず、当然、時間料金体系の採用は不可能であった。
【００１２】
また、荷物がロッカー等に預け入れられた場合にはそのロッカーの表示パネルによって表示される場合はあるももの、荷物がロッカーに預けられたことや取り出されたこと等を受取人や預入人に直接通知されることがなかったため、荷物の受渡しがスムーズに遂行される保証が得られなかった。
【００１３】
また、物品代金の決済等を物品引渡しの条件として預入れ、その履行を自動的に確認した上でボックスを解錠するシステムが無かったため、物品代金の代引決済等を条件とする物品の受渡しにロッカーを活用することが出来なかった。
【００１４】
また、前述の特許文献３、４に記載された技術であっても全く問題がないわけではなく、利用出来るボックスの設置場所が不案内な利用者にとっては、道案内がないため、予約人、物品の預入人、配達人、受取人は、インターネット上で提供される地図や住所等を手がかりにしてボックスの設置場所を探さなければならず手間がかかるという問題があった。
【００１５】
本発明は前記課題を解決するものであり、その目的とするところは、マンション等の集合住宅だけにとどまらず、駅周辺や地下街或いは商店街や人通りのある市街地等の公衆の場に設けられた受渡しボックスが設置された移動目的地までの道案内が移動しながらに出来、受渡しボックスを受取人が容易に予約して利用することが出来、更には予約行為毎に固有の予約ＩＤ番号を付与することでセキュリティ性を向上出来、決済等を物品受渡しの条件とすることが出来、受渡しの場所と該受渡しボックスの利用料金の負担につき受取人の事前了解を取り付けることにより受渡しを完了出来る受渡しボックスシステム及びそれを利用した受渡しボックスの予約方法及び課金方法を提供せんとするものである。
【課題を解決するための手段】
【００１６】
前記目的を達成するための本発明に係る受渡しボックスシステムは、物品の受渡しを行う受渡しボックスシステムであって、受渡しボックスが設置された位置情報を記憶する受渡しボックス位置情報記憶手段と、前記受渡しボックス位置情報記憶手段に記憶された位置情報から利用される特定の受渡しボックスの位置情報を出力する受渡しボックス位置情報出力手段と、移動体の現在位置を測位し、その測位情報に基づいて、該移動体の現在位置に対応する地図情報中に該移動体の現在位置を表示すると共に、入力された移動目的地情報に基づいて該移動体の現在位置から移動目的地までの道案内を実施し得るナビゲーション手段と、前記受渡しボックス位置情報出力手段により出力された特定の受渡しボックスの位置情報と、前記ナビゲーション手段に移動目的地情報を入力してナビゲーションを実行するためのナビゲーション実行ＩＤ情報と、を関連付けるナビゲーション実行ＩＤ情報関連付け手段と、前記ナビゲーション実行ＩＤ情報関連付け手段により関連付けられたナビゲーション実行ＩＤ情報及び特定の受渡しボックスの位置情報を受信して、該ナビゲーション実行ＩＤ情報に基づいて前記ナビゲーション手段によるナビゲーションを実行すると共に、該特定の受渡しボックスの位置情報に基づいて前記ナビゲーション手段により前記移動体の現在位置から特定の受渡しボックスが設置された移動目的地までの道案内を実施するナビゲーション実行手段とを有することを特徴とする。
【００１７】
本発明は、上述の如く構成したので、受渡しボックス位置情報出力手段により受渡しボックス位置情報記憶手段に記憶された複数の位置情報から利用される特定の受渡しボックスの位置情報を抽出して出力することが出来る。
【００１８】
その特定の受渡しボックスの位置情報はナビゲーション実行ＩＤ情報関連付け手段によりナビゲーション実行ＩＤ情報と関連付けられて移動体に設けられたナビゲーション実行手段により受信され、該ナビゲーション実行手段はその受信したナビゲーション実行ＩＤ情報に基づいてナビゲーション手段によるナビゲーションを実行すると共に、該特定の受渡しボックスの位置情報に基づいて該ナビゲーション手段によりその移動体の現在位置から特定の受渡しボックスが設置された移動目的地までの道案内を表示案内や音声案内等により実施することが出来る。
【００１９】
また、前述の受渡しボックスシステムにおいて、ＩＤ情報を発信可能な携帯電話機と、前記携帯電話機から発信されたＩＤ情報を電話機能を有する送受信部で受信して照合し、前記受渡しボックスを解錠する解錠制御手段とを有することを特徴とする。
【００２０】
上記構成によれば、利用者が携帯電話機を利用してＩＤ情報を発信すると、解錠制御手段に設けられたメモリまたは中央管理センターのコンピュータに設けられたメモリに予め登録されたＩＤ情報と、携帯電話機から発信されたＩＤ情報とを照合して両者が一致した時に受渡しボックスを解錠するため許可されたものだけが容易に受渡しボックスを解錠することが出来る。
【００２１】
また、前記ＩＤ情報が前記携帯電話機自体の電話番号情報である場合には、予め設定された所定の受渡しボックスの電話番号に電話を掛けると、携帯電話機自体の電話番号情報が自動的に発信される機能を用いてＩＤ情報として電話番号情報を容易に発信することが出来る。
【００２２】
前記携帯電話機自体の電話番号は事前に登録されているため身元確認が容易であるため、ＩＤ情報の照合を行うことなく受渡しボックスを解錠することが出来る。また、ＩＤ情報にＩＤ番号情報や声紋情報による識別を加えることにより一層のセキュリティ性の向上を図ることが出来る。
【００２３】
前記携帯電話機はインターネットが利用可能であり、前記受渡しボックスの配置位置情報、経過利用料金情報、入出荷情報、空き状態情報のうち少なくとも１つがインターネットを介して知得出来る場合には、現在空いている受渡しボックスを容易に知得して利用することが出来、荷物の入出荷状態を容易に知得することが出来、経過利用料金を容易に知得することが出来る。
【００２４】
また、前記受渡しボックスの利用料金が前記携帯電話機の電話番号に対して課金される場合には、電話料金として課金が容易に出来る。
【００２５】
また、前記携帯電話機から前記受渡しボックスの予約をするために該受渡しボックスの解錠の凍結を遠隔操作出来る場合には、受渡しボックスの予約を容易に且つ確実に行うことが出来る。
【００２６】
また、前記受渡しボックスの空き状態を検知する空き状態検知手段と、前記空き状態検知手段により検知された空き状態情報を収集して中央管理センターに送信する第１の通信手段と、前記中央管理センターに送信された空き状態情報を随時記憶する第１の記憶手段と、前記第１の記憶手段に記憶された空き状態情報を通信網上で閲覧可能に提供するサーバ装置と、前記通信網上で閲覧した空き状態情報に基づいて予約を希望する受渡しボックスを選択する予約選択手段と、前記予約選択手段により選択された受渡しボックスの予約ボックスＩＤ情報と、予約を受理した段階で前記中央管理センターが発行するその予約行為に固有の予約者の携帯電話機の電話番号等のＩＤ情報に関連付けられた予約ＩＤ情報とを関連付けて記憶する第２の記憶手段と、前記予約ボックスＩＤ情報と予約ＩＤ情報とを予約人に送信して報知する第２の通信手段と、受渡しボックスの予約ボックスＩＤ情報及び予約ＩＤ情報を入力可能な入力手段と、前記入力手段により入力された予約ボックスＩＤ情報及び予約ＩＤ情報と、前記第２の記憶手段に記憶された予約ボックスＩＤ情報及び予約ＩＤ情報とを照合して、両者が一致した場合に受渡しボックスを解錠する解錠制御手段とを有する構成によれば、空き状態検知手段により検知された受渡しボックスの空き状態情報が中央管理センターに送信され、受渡しボックスの空き状態が随時管理されており、サーバ装置によりその空き状態情報が通信網上で閲覧出来る。
【００２７】
利用者は通信網上で閲覧した空き状態情報に基づいて予約を希望する受渡しボックスを選択して予約することが出来、中央管理センターが予約を受理した段階で予約人に対して、その予約行為固有の予約者の携帯電話機の電話番号等のＩＤ情報に関連付けられた予約ＩＤ情報を発行する。予約人には該予約人が選択して予約した受渡しボックスの固有の予約ボックスＩＤ情報と、中央管理センターが発行した予約ＩＤ情報とが報知される。
【００２８】
予約は不特定の通信端末機から一般に普及したインターネットを介してどの場所からでも出来るため前述した特許文献２の公知例のような特定の端末機に限定されず、使い勝手が良い。
【００２９】
また、ＩＳＤＮ（Integrated Services Digital Network；総合デジタル通信網）回線を利用したり、一般電話回線とＡＤＳＬ（Asymmetric Digital Subscriber Line；非対称デジタル加入者線）回線とを適宜組み合わせた複数回線を利用すれば、一方を各種情報通信専用の回線とし、他方をＩＤ情報通信専用の回線とすることが出来、プロバイダー等を介さない電話回線をＩＤ情報通信専用の回線とすることでセキュリティ性が向上する。
【００３０】
また、携帯電話機は電話番号とは別に、それ自体のシリアルＩＤ番号が付与されて発信されており、携帯電話機を紛失した場合でもそのシリアルＩＤ番号を利用してその紛失した携帯電話機を無効にすることが容易に出来、新規の携帯電話機に従前の電話番号を利用することが出来る。
【００３１】
予約を一定期間のみ有効とすることにより無制限に受渡しボックスが予約される状態を排除して受渡しボックスの空状態を極力防止出来、受渡しボックスの稼働率を向上することが出来ると共に予約料金と使用料金とを区別して設定することが可能となる。
【００３２】
予約人、或いは予約人から予約ボックスＩＤ情報と予約ＩＤ情報とを通知された預入人は、ナビゲーション手段により道案内されて予約された受渡しボックスに出向き、入力手段により予約ボックスＩＤ情報及び予約ＩＤ情報を入力することで受渡しボックスを解錠して利用することが出来る。即ち、鍵の代りに予約ＩＤ情報を配達業者等の特定した預入人に情報の形態で通知することにより鍵を送付する必要や鍵の紛失の虞や、或いは悪戯による物品の預入等の心配がなくなり且つ空きボックスの有無を心配する必要もなくなる。
【００３３】
中央管理センターが発行する予約ＩＤ情報は予約行為固有のものであり、予約行為個々に異なるＩＤ番号等の予約ＩＤ情報が付与されるので、預入人が予め自分専用の受渡しボックスを確保したり、ＩＣカードの盗難や紛失、或いは固定暗証番号の情報漏れを心配することもない。
【００３４】
予約された受渡しボックスに預入人が物品を入れた時点で、予約人（受取人）に対して予約ＩＤ情報とは別の預かりＩＤ情報（例えば、予約暗証ＩＤ情報及び受取人の携帯電話機の電話番号等のＩＤ情報）が入荷事実と共に中央管理センター経由で電子メールやボイスメール或いは口頭通話等により通知される。尚、この預かりＩＤ情報は預入人には開示されないため、保管セキュリティーが高い。
【００３５】
受取人は受取時の鍵となる当該預かりＩＤ情報を入力すると共に携帯電話機やＩＣカード或いは磁気カード等の認証識別手段を利用して個人（ＩＤ）認証を行い、受渡しボックスを解錠して物品を受け取ることが出来る。尚、携帯電話機の電話番号を受取ＩＤ情報とした場合にはその携帯電話機の電話番号を通知するのみで受渡しボックスを解錠して物品を受け取ることも出来る。
【００３６】
また、前記受渡しボックスの予約または預入を受理した段階で前記中央管理センターが発行する予約行為に固有の予約者の携帯電話機の電話番号等のＩＤ情報に関連付けられた予約ＩＤ情報、或いは受渡しボックスを利用して行う物品の受渡し行為に固有の携帯電話機の電話番号等のＩＤ情報に関連付けられた受取ＩＤ情報に関連付けられた物品代金の決済等の物品受渡し条件を入力する入力手段と、前記物品受渡し条件と、その履行を記憶する記憶手段と、前記物品受渡し条件が物品代金の決済を伴う場合に前記受取ＩＤ情報を決済代行人のみに送信して報知する第３の通信手段と、物品の決済を行う決済手段と、別途決済による決済履行を前記中央管理センターに送受信して問い合わせる第４の通信手段と、前記物品受渡し条件の履行を確認した上で前記受渡しボックスのボックスＩＤ情報及び前記受取ＩＤ情報が予約または預入の段階で記憶されたものと一致した場合に前記受渡しボックスを解錠する解錠制御手段とを有する構成によれば、物品受渡し条件が物品の決済を伴う場合に、予約ＩＤ情報や受取ＩＤ情報と関連付けて記憶手段に記憶された該物品受渡し条件が履行されたことを確認した上で解錠制御手段が受渡しボックスを解錠するため、物品の決済が物品の受渡しに先行して確実に実行される。
【００３７】
また、前記入力手段及び／または前記第２〜第４の通信手段は、携帯電話機、携帯情報端末機、パーソナルコンピュータ、或いは受渡しボックスに設けられたテンキー及びタッチパネルのうちの何れか１つを適宜利用することが出来る。
【００３８】
また、前記携帯電話機、携帯情報端末機、パーソナルコンピュータ、或いは前記受渡しボックスに設けられたテンキー及びタッチパネルはインターネットが利用可能であり、前記受渡しボックスの配置位置情報、経過利用料金情報、入出荷情報、空き状態情報、預入依頼情報、預入承諾情報のうち少なくとも１つがインターネットを介して知得出来る場合には、現在空いている受渡しボックスを容易に知得して利用することが出来、物品の入出荷状態を容易に知得することが出来、経過利用料金を容易に知得することが出来る。
【００３９】
また、前記入力手段及び／または前記第２〜第４の通信手段は携帯電話機であり、該携帯電話機の電話番号、或いは通話音声が前記受渡しボックスの予約や、物品の預入れや取り出しのための解錠を行う際の認証番号や声紋等の認証情報及び該受渡しボックスの利用料金の課金先を兼ねる場合には、携帯電話機の電話番号を予め個人認証情報である会員ＩＤ番号、及び予約ＩＤ情報や受取ＩＤ番号等の受渡しボックスの解錠番号及び課金先として登録しておくことで会員の識別や課金が容易となり、受渡しボックスを解錠する鍵の役割も併せ持たせることが出来る。また、通話音声を声紋により認証して個人認証情報の代わりとすることも出来る。
【００４０】
従って、携帯電話機への加入者を自動的に会員として扱うことが出来、個人認証番号や解錠暗証番号の入力操作や課金先の入力操作を省略出来、操作性が良い。
【００４１】
また、受渡しボックスに設けられたテンキーや表示手段を兼ねるタッチパネルから予約または預入依頼をする場合には、ＩＤ識別手段として、携帯電話機の電話番号の代りにＩＣカードや磁気カード、或いはクレジットカード等をカードリーダで読み取ることで利用することも出来る。
【００４２】
また、本発明に係る受渡しボックスの予約方法は、物品の受渡しを行う受渡しボックスを予約する方法であって、物品を預け入れる預入人が、該物品を受け取る受取人に対して前述した受渡しボックスの予約を依頼した後、前記受取人が前記受渡しボックスを預入人のために予約することを特徴とする。
【００４３】
上記予約方法によれば、受渡しボックスに物品を預けたい預入人が予約人に特定の受渡しボックスの予約を依頼し、その依頼を受けた予約人が前述の受渡しボックスを利用して予約を行うので、受渡しボックスの予約は受取人が預入人のために行う所謂他人のための予約行為であり、物品の受取人が予約をすることになり、予約人である受取人が公衆の場に設置された受渡しボックスを物品の受渡し場所として受取人が同意した事実査証となるため、預入人が物品の配達人である場合には、あらためて事前了解をその都度取得したか否かを証明する必要性も無く、配達業者等の預入人が安心して物品の受渡し場所として受渡しボックスを利用することが出来る。
【００４４】
また、預入依頼に対する事前承認を得た場合も、その事実がコンピュータに記憶され、且つその記録が印刷出力されるため同様の効果が期待出来る。
【００４５】
また、予約人である受取人を課金先とすることが出来るので預入人は利用料金を心配する必要がなく、安心して利用出来る。
【００４６】
従って、前述した特許文献２の公知例のように、預入人が予約人となる場合、預入人が課金対象となり、時間制の課金システムであれば、物品を受渡しボックスに預け入れた後にまだ受渡しが完了していない場合、預入人に対する課金が継続するため預入人は受取人の受取時間を気にしなければならず、受取人は自分の都合で受け取る時間を決められず、物品をあわてて取りに行かなければならないという不合理が発生する。また、受取人が物品を受け取りに来ない場合は、預入人が物品を回収に再度受渡しボックスまで行かなければならないという煩わしさがある。
【００４７】
また、前述の特許文献２の公知例は利用の都度、預入人が受取人から宅配物収納ロッカーのボックスを物品の受渡し場所として事前に了解を取得することが出来ないため、預入人にとっても使い勝手が悪い。尚、受取人の事前同意や事前承認を得ない場合及び利用料金を預入人の負担とした場合はボックスに預け入れただけでは物品の受渡しが完了していないことになるためトラブル発生の原因ともなる。
【００４８】
また、予約人である受取人が、預入人が誰か（誰のための予約か）を特定した上で予約を行い、物品を受け取る時点で受渡しボックスの解錠を行うため、ゴミや石等の不要物を悪戯で勝手に送りつけられるリスクが無い。
【００４９】
また、物品を受渡しボックスに入庫する預入人のＩＤ情報を取得し、同時に受取人のＩＤ情報を入力しないと入庫出来ないためセキュリティ性が高く、受取人が同意した事実査証となる。
【００５０】
また、物品の受取人は、携帯電話機を利用して予め指定された電話番号に電話をかけることにより、その携帯電話機の電話番号が通知されるため、受取人本人である確認の最終確定手段とすることが出来る。
【００５１】
また、本発明に係る受渡しボックスの課金方法は、物品の受渡しを行う受渡しボックスの課金方法であって、前述の受渡しボックスを利用して予約を行う予約人を予め登録しておき、その予約人（受取人本人）に対して受渡しボックスの利用料金を課金することを特徴とする。
【００５２】
上記課金方法によれば、受渡しボックスの利用料金の課金先を予約人（受取人）にすることで受渡しボックスの利用料金を物品の着払い（取り出し時の支払い）に出来、受渡しボックスの利用料金を時間制とすることが出来る。例えば、課金先を預入人として受渡しボックスの利用料金を時間制とした場合には、受取人が受け取るまで延々に課金が継続する虞が有り受渡しボックスの利用料金を時間制とすることが困難である。
【００５３】
また、予約人（受取人）を予め登録した会員制とすることで受渡しボックスの利用料金の回収方法（与信システム）を事前に構築しておくことが出来る。
【００５４】
また、前記受渡しボックスの利用料金を予約人が使用した携帯電話機の電話番号に対して課金する場合には課金が容易であるため好ましい。
【００５５】
また、本発明に係る受渡しボックスの他の課金方法は、物品の受渡しを行う受渡しボックスの課金方法であって、前述の受渡しボックスを利用する際の初期料金を物品を預け入れる預入人に対して課金することを特徴とする。
【００５６】
上記課金方法によれば、予約料金と時間制使用料金とを予約人（受取人）に課金し、受渡しボックスを利用する初期料金を預入人に課金することも出来るので課金先の設定を多様化出来、予約人（受取人）の費用負担を軽減することが出来、悪戯防止にも寄与する。
【発明の効果】
【００５７】
本発明は、上述の如き構成と作用とを有するので、マンション等の集合住宅だけにとどまらず、駅周辺や地下街或いは商店街や人通りのある市街地等の公衆の場に設けられた受渡しボックスが設置された移動目的地までの道案内が移動しながらに出来、受渡しボックスを受取人が容易に予約して利用することが出来、更には予約行為毎に固有の予約ＩＤ番号を付与することでセキュリティ性を向上出来、決済等を物品受渡しの条件とすることが出来、受渡しの場所と該受渡しボックスの利用料金の負担につき受取人の事前了解を取り付けることにより受渡しを完了出来る。
【発明を実施するための最良の形態】
【００５８】
図により本発明に係る受渡しボックスシステム及びその予約方法並びに課金方法の一実施形態を具体的に説明する。図１は本発明に係る受渡しボックスシステムの全体構成を示す図、図２は本発明に係る受渡しボックスシステムの制御系の構成を示す図、図３は中央管理センターと移動体に設けられるナビゲーションシステムの制御系のブロック図、図４は受渡しボックスの一例を示す斜視図である。
【００５９】
また、図５〜図７は本発明に係る受渡しボックスシステムにおいて受渡しボックを予約する際の予約フローチャート、図８は携帯電話機を利用して予約をする際の表示画面の一例を示す図、図９〜図12は本発明に係る受渡しボックスにおいて物品を預ける時と受け取る時の手順を示すフローチャート、図13は本発明に係る受渡しボックスにおいて、予約ボックスＩＤ情報と予約ＩＤ情報を入力する際の照会画面を示す図、図14は本発明に係る受渡しボックスシステムを利用して代引決済を行うプロセスを説明する図である。
【００６０】
図１、図２及び図４において、２はメールボックス（私書箱を含む）、宅配ボックス、クリーニングボックス等として利用出来るマンション等の集合住宅だけにとどまらず、駅周辺や地下街或いは商店街や人通りのある市街地等の人の出入り自由な公衆の場に設けられ、物品の受渡しを行う受渡しボックスであり、他の用途としてレンタルビデオや写真（ＤＰＥ）等の受渡しやロッカーとしても利用可能である。
【００６１】
物品の受渡しを行う受渡しボックス２にはテンキーや表示パネルを兼ねるタッチパネル、或いはマイク等の入力手段３ａや液晶表示装置やブラウン管ディスプレイ等の表示手段３ｂ、更にはスピーカー３ｃ、プリンタ３ｆ、カードリーダ３ｇ、カメラ３ｈ、バーコードリーダ３ｊ及び電波受信機３ｋ等を配置したコントロールパネル３が設けられている。また、コントロールパネル３の正面に人が立ったことを検知する図示しない人感センサ等が設けられている。
【００６２】
一方、コントロールパネル３とインターネット９等の通信手段を介して接続される中央管理センター11には、図３に示すように、各所に設置された受渡しボックス２の所在地である住所や構内の区画、更には設置されたその特定の受渡しボックス２の左右上下のどの位置のボックスであるか等の詳細位置に至るまでを知得出来る程度の位置情報を予め記憶する受渡しボックス位置情報記憶手段となる受渡しボックス位置情報データベース（以下、「受渡しボックス位置情報ＤＢ」という）18が設けられている。
【００６３】
図２において、１はインターネットが利用可能な携帯電話機であり、例えば、（株）ＮＴＴドコモが提供するｉモード（ＮＴＴ移動通信網（株）の登録商標）対応の携帯電話機である。尚、本実施形態では、携帯電話機１としてＰＨＳ（Personal Handyphone System）も含む。
【００６４】
この携帯電話機１に設けられたディスプレイ１ａと、「１〜９」までの数字と「♯、＊」の記号からなる所謂テンキー１ｂを利用したボタン入力操作によってインターネットサイト（情報番組）接続サービスやｉモードメール等の各種のオンラインサービスが利用出来るものである。
【００６５】
ｉモード対応の携帯電話機１では、例えば、外出先や移動中でも銀行の残高照会や振込、各種チケットの予約、電子電話番号帳の番号検索、或いは天気予報、株価情報、ニュース速報、レストランガイド等、各種の情報サービス提供者が提供する各種オンラインサービスを利用することが出来、更にはｉモード対応の携帯電話機１同士や他のインターネットに接続されたパーソナルコンピュータ（以下、単に「パソコン」という）との間でインターネットメール（e-mail；電子メール）としても利用出来る。
【００６６】
尚、通信網としてはインターネット９の代りに専用回線や通信衛星等を利用した空中電波による通信網であっても良い。
【００６７】
携帯電話機１には、例えばブルートゥース等の赤外線通信を利用した短距離無線規格による電波送信機１ｃが設けられており、受渡しボックス２のコントロールパネル３に設けられた電波受信機３ｋとの間で短距離電波通信を行なうことが出来るようになっている。
【００６８】
短距離無線規格であるブルートゥース等の赤外線通信によれば、通常、携帯電話機１や携帯情報端末機（ＰＤＡ）等で外部と無線が届かないエリアである地下街やビル内（室内を含む）、或いは駅構内、空港構内、公共施設構内等でケーブルを繋がなくても短距離無線によりインターネット９や電話回線に接続されている受渡しボックス２のＣＰＵ（中央演算装置）６に直接アクセスしたり、該ＣＰＵ６を経由して中央管理センター11の中央コンピュータ10とも情報のやり取りが出来るものである。
【００６９】
これにより、ＩＤ情報を発信可能な携帯電話機１と受渡しボックス２のコントロールパネル３との間で、ＩＤ情報の一例として携帯電話機１自体の電話番号情報、ＩＤ番号情報やバーコード情報、声紋情報或いはデジタル画像情報のデジタル信号を電波転送することが出来、携帯電話機１から発信されたこのようなＩＤ情報を電話機能を有する送受信部で受信して照合し、解錠制御手段となるＣＰＵ６により施錠機構８を制御して受渡しボックス２を解錠し得るように構成されている。
【００７０】
また、携帯電話機１から電話回線を介してコントロールパネル３へ個人ＩＤ情報となる携帯電話機１の電話番号等が自動的に入力されるようになっている。
【００７１】
本実施形態の携帯電話機１には、図３に示すように、移動体のナビゲーション手段となるナビゲーション装置20が組み込まれており、ＧＰＳ（Global Positioning System）衛星電波を送受信部21により受信して測位部23により移動体（ここでは、携帯電話機１を携帯する者）の現在位置を測位し、その測位情報に基づいて、地図情報記憶手段となる地図情報データーベース（以下、「地図情報ＤＢ」という）25から移動体の現在位置に対応する地図情報を表示手段となるディスプレイ１ａに表示すると共に、その地図情報中に該移動体の現在位置を表示する。
【００７２】
また、ナビゲーション装置20は入力された移動目的地情報に基づいて、その移動体の現在位置から移動目的地までの道案内をディスプレイ１ａ上に表示することが出来る機能を有している。尚、特定の受渡しボックス２の位置情報に基づいてナビゲーション装置20によりその移動体の現在位置から特定の受渡しボックス２が設置された移動目的地までの道案内を実施する場合には、ディスプレイ１ａによる表示案内以外にもスピーカーによる音声案内等により実施することも出来る。
【００７３】
図２に示すように、受渡しボックス２に設けられたコントロールパネル３の内部には、該受渡しボックス２の予約または預入を受理した段階で中央管理センター11に設けられた中央コンピュータ10から発信された予約行為に固有の予約者の携帯電話機１の電話番号等のＩＤ情報に関連付けられた予約ＩＤ番号等の予約ＩＤ情報、及び予約された受渡しボックス２の固有の番号等の予約ボックスＩＤ情報と、予約人、或いは預入人がテンキーや表示手段を兼ねるタッチパネル等からなる入力手段３ａから入力した予約ＩＤ情報、及び予約ボックスＩＤ情報とを照合して両者が一致した場合に受渡しボックス２の扉を解錠する解錠制御手段となる制御部４が設けられている。
【００７４】
また、各受渡しボックス２の表面部には空き状態、予約状態、入荷状態等を知らせるためのランプ３ｅが設けられており、各受渡しボックス２の内部には受渡しボックス２の空き状態を検知する空き状態検知手段の一部を構成する物品の存在を検知する赤外線センサ３ｄが夫々設けられている。尚、赤外線センサ３ｄの他に重量センサや他の種々のセンサが適用可能である。
【００７５】
制御部４の内部には中央コンピュータ10との間で予約ボックスＩＤ情報と、予約を受理した段階で中央管理センター11が発行する予約ＩＤ情報、更には音声、文字、画像情報を送受信可能で通信機能を有する送受信部５と、ＣＰＵ（中央演算装置）６と、記憶手段として読み書き可能なメモリ７と、受渡しボックス２の扉を施錠／解錠する施錠機構８が設けられている。
【００７６】
ＣＰＵ６はメモリ７からプログラムや各種データを読み出し、必要な演算や判断を行い、各種制御を行うものである。また、ＣＰＵ６にはカレンダー機能、時計機能及びタイマー機能及びカウンタ等が設けられている。
【００７７】
また、ＣＰＵ６は受渡しボックス２の空き状態を検知する空き状態検知手段の一部を構成する各赤外線センサ３ｄの検知した空き状態情報から受渡しボックス２の空き状態を判別して収集し、通信手段となる送受信部５から通信網となるインターネット９を介して図２に示す中央管理センター11に設けられた中央コンピュータ10に受渡しボックス２の空き状態情報及び運営に関する各種記録データを送信伝達する。
【００７８】
そして、中央管理センター11に設けられた中央コンピュータ10のサーバ装置10ａが通信網となるインターネット９上に提供するウエブサイト（ホームページ）を介して受渡しボックス２の配置位置情報、経過利用料金情報、入出荷情報、空き状態情報、更には預入依頼情報、預入承諾情報等を閲覧可能に提供しており、この情報に基づいて、利用者はインターネット９が利用可能な通信手段となる携帯電話機１、携帯情報端末機、パソコン等を利用して、これ等の情報を知得出来るようになっている。
【００７９】
また、解錠制御手段となるＣＰＵ６は施錠機構８により受渡しボックス２の扉を解錠してから赤外線センサ３ｄが物品の投入を検知するまでの時間を測定しており、予め設定された時間を経過した場合には、施錠機構８により受渡しボックス２の扉を自動的に施錠するオートロックを作動させる。
【００８０】
メモリ７はＣＰＵ６が命令中のデータや演算結果、或いは入力手段３ａから入力された予約ボックスＩＤ情報や予約ＩＤ情報を一時記憶すると共に、中央管理センター11から送信された予約ボックスＩＤ情報や予約ＩＤ情報を一時記憶するワーキングエリア、ＣＰＵ６が動作するための各種プログラムや、各種データを格納しておくバッファエリア等からなっている。
【００８１】
メモリ７に記憶された入力手段３ａから入力された予約ボックスＩＤ情報や予約ＩＤ情報と、中央管理センター11から送信された予約ボックスＩＤ情報や予約ＩＤ情報とをＣＰＵ６が比較演算して両者が一致した場合に施錠機構８により受渡しボックス２の扉を解錠する。
【００８２】
受渡しボックス２の扉は使用前は常時施錠された所謂、オートロック状態であり、これにより悪戯やごみ捨て場と化すことを未然に防止出来るようになっている。
【００８３】
また、通信機能を有する送受信部５はインターネット９を介して中央管理センター11に設けられた中央コンピュータ10に接続されており、該中央コンピュータ10のメモリに格納されている複数の受渡しボックス２の空き状態情報や各地の各場所に設置された受渡しボックス２の配置位置情報及びそれ等の空き状態情報等の情報がインターネット９を介して送受信部５からＣＰＵ６に送られ、更にはメモリ７に格納されている物品の入出荷情報や利用者の経過利用料金情報等の情報と共に該送受信部５から中央コンピュータ10を経由して通信手段となる携帯電話機１や携帯情報端末機やパソコン等に音声や文字、画像情報として提供される。
【００８４】
予約を行う予約人は、中央管理センター11のサーバ装置10ａがインターネット９上に提供するウエブサイト（ホームページ）に設けられた図示しない登録画面等を経由して氏名、住所、電話番号、メールアドレス、銀行等の引落し口座番号、クレジット番号、所有するナビゲーション装置20の機種等を予め中央管理センター11に登録して置き、その予約人に対して受渡しボックス２の利用料金を課金する。
【００８５】
本実施形態では、予約人が中央管理センター11に予め登録した携帯電話機１の電話番号に対して課金する一例を示すが、課金決済方法は携帯電話機１の電話番号に課金する他に、銀行等の指定口座からの自動引落しやクレジットカード等への課金であっても良い。
【００８６】
中央管理センター11には各所に設けられた受渡しボックス２の通信手段となる送受信部５から送信された空き状態情報を随時記憶する記憶手段となるメモリ12が設けられており、空き状態検知手段となる赤外線センサ３ｄにより随時検知された物品の出入情報や中央コンピュータ10から随時伝達された予約の開始や終了、キャンセル等の各種の状態が随時更新されて記憶され、更には一連の経過情報が所定期間記憶して保存される。
【００８７】
10ａは中央管理センター11のメモリ12に随時更新して記憶された受渡しボックス２の空き状態情報を通信網となるインターネット９上で閲覧可能に提供するサーバ装置である。
【００８８】
尚、中央管理センター11には、何らかのトラブルや問い合わせに対応出来るスタッフが常駐しているコールセンター11ａが設けられている。
【００８９】
図５は本発明に係る受渡しボックス２で予約を行う際の動作を簡単に説明したものであり、予約するに当たって、先ず予約地域を選択し（ステップＳ201）、その後、予約ロケーションを選択し（ステップＳ202）、その後、ボックスサイズを選択すると（ステップＳ203）、予約完了が表示され（ステップＳ204）、予約確認メールが送信される（ステップＳ205）。
【００９０】
上記のように構成された受渡しボックスを利用する手順の一例を図６〜図13を用いて詳細に説明する。先ず、図６及び図７を用いて受渡しボックス２を予約する場合の動作について説明する。
【００９１】
受渡しボックス２の予約をする場合、インターネット９が利用可能な通信手段であって入力手段となるパソコンや携帯電話機１、或いは携帯情報端末機、或いは受渡しボックス２のコントロールパネル３等からインターネット９を経由して中央管理センター11の中央コンピュータ10にアクセスする（図６のステップＳ１）。
【００９２】
図８は携帯電話機１のｉモード画面に表示される表示画面の一例である。図６のステップＳ２において、図８（ａ）に示す携帯電話機１の電話番号（以下、「携帯電話番号」という）入力欄13ａと会員ＩＤ番号入力欄13ｂに予め登録した携帯電話番号と会員ＩＤ番号とを入力する。
【００９３】
尚、受渡しボックス２の前で予約を行う場合には、図２に示すように、指定された電話番号に携帯電話機１をかけて携帯電話機１自身の電話番号を発信することにより携帯電話番号や会員ＩＤ番号等の個人ＩＤを照会することも出来る。携帯電話機１を携帯電話機接続手段３ｉに接続した場合には携帯電話機１の電話番号がコントロールパネル３の制御部４に発信されて携帯電話番号と会員ＩＤ番号の入力を兼ねる。
【００９４】
また、磁気カードやＩＣカード等からなるクレジットカードや銀行口座等から電子マネーを引き落としたデビットカード等のＩＤカードをカードリーダ３ｇにより読み込んで会員番号を認証し、テンキー等の入力手段３ａにより会員暗証番号を入力することでも予約を行うことが出来る。
【００９５】
携帯電話機１、パソコン、携帯情報端末機やコントロールパネル３等は、通信網となるインターネット９上で閲覧した受渡しボックス２の空き状態情報に基づいて予約を希望する受渡しボックス２を選択する予約選択手段を兼ねる。
【００９６】
次に、図６のステップＳ３において、図８（ｂ）に示すように、予約登録か、一旦予約登録した内容をキャンセルするかの作業内容を選択し、予約登録する場合には、図８（ｂ）に示す「１．ボックス予約」を確定する。
【００９７】
次にステップＳ４において、図８（ｃ）に示すように、予め登録した契約（月極）ボックスを利用するか否かの選択をし、契約ボックスを利用しない場合には、図８（ｃ）に示す「１．契約ボックスなし」を確定する。
【００９８】
次にステップＳ５において、図８（ｄ）に示すように、予約希望地域の選択肢から希望地域を選択して確定する。例えば、図８（ｄ）に示す「４．渋谷区」を確定すると、ステップＳ６において、図８（ｅ）に示すように、渋谷区において空きボックスがあるロケーション一覧表が表示され、希望するロケーション（例えば、「１．東急ハンズ前」）を選択して確定する。尚、携帯電話機１、パソコン、携帯情報端末機を利用した場合にはロケーションと共に周辺地図が表示される。
【００９９】
次に、図８（ｆ）に示すように、そのロケーションに設置された受渡しボックス２の空きボックスのサイズが表示され、希望に沿う空きボックスが有る場合には、図８（ｆ）に示す希望するボックスのサイズ（例えば、「１．Ｌサイズ」）を選択して確定する（図６のステップＳ７、Ｓ８）。
【０１００】
次に預入人の選定を行い、預入人が指定業者以外の者の場合には、図７に示すステップＳ10へ進んで、図８（ｇ）に示すように、予約可能なボックス番号（例えば、「Ｃ００３」）が表示される。
【０１０１】
そして、図７のステップＳ11において、図８（ｇ）に示す「１．予約確定」を選択して確定すれば、ボックスの「Ｃ００３」が予約され、東急ハンズ前に設置された受渡しボックス２の予約ロケーション番号「００１」と、予約されたボックス番号「Ｃ００３」が組み合わされて予約ボックスＩＤ情報として「００１Ｃ００３」が設定される。
【０１０２】
そして、図８（ｈ），（ｉ）に示すように、予約ボックスＩＤ番号「００１Ｃ００３」と、その予約行為毎に付与される固有の予約ＩＤ情報として、例えば、予約ＩＤ番号「＊００７」が中央管理センター11の中央コンピュータ10から発行されて表示され（図７のステップＳ12）、更には予約の有効期限等が表示された後、アクセスが自動的に切断される（図７のステップＳ13）。
【０１０３】
尚、図７に示す前記ステップＳ12において、物品が商品であって、予約ＩＤ情報、或いは受取ＩＤ情報に関連付けられた物品代金の決済等の物品受渡し条件（物品引渡し条件）が存在する場合、所定の識別コードが予約ＩＤ番号に付与される。例えば、物品引渡し条件として、物品代金の決済を伴う場合として物品と引き換えに代金を支払う所謂、代引決済が設定されている場合には前述の予約ＩＤ番号「＊００７」に「ａ」の識別コードが付与されて、「＊００７ａ」の予約ＩＤ番号が付与される。
【０１０４】
また、中央管理センター11の記憶手段となるメモリ12には予約ボックスＩＤ情報「００１Ｃ００３」と予約ＩＤ番号「＊００７」或いは「＊００７ａ」及び予約開始時刻、更には物品受渡し条件と、その履行が関連付けられて記憶される。
【０１０５】
物品受渡し条件が物品代金の決済を伴う場合には、中央管理センター11の中央コンピュータ10は、その受取ＩＤ情報を予め登録された決済代行人のみに電子メール等の通信手段を利用して送信して報知する。
【０１０６】
関連付けられた予約ボックスＩＤ情報「００１Ｃ００３」と予約ＩＤ番号「＊００７」或いは「＊００７ａ」は、中央管理センター11の中央コンピュータ10からインターネット９を介して予約されたロケーション番号「００１」の受渡しボックス２に向けて送信され、コントロールパネル３に設けられた制御部４のメモリ７に記憶される。
【０１０７】
予約が受理されると、中央管理センター11の中央コンピュータ10から予約されたロケーション番号「００１」の受渡しボックス２の制御部４に向けて遠隔操作により施錠機構８の解錠を凍結する旨の指令が出される。尚、予約時間が超過した場合は、中央コンピュータ10から予約（解錠凍結）の解除が指令される。
【０１０８】
即ち、図７のステップＳ14において、中央コンピュータ10から当該予約ボックスの解錠を一時凍結するように現地の受渡しボックス２に設けられたコントロールパネル３のＣＰＵ６に向けて指示が発信され、予約人に対して再確認のために図８（ｊ），（ｋ）に示すように、予約ボックスＩＤ情報「００１Ｃ００３」と予約ＩＤ番号「＊００７」或いは「＊００７ａ」及び予約開始時刻等の予約情報を通信手段となる電子メールにより送信して通知（報知）する。
【０１０９】
そして、図７のステップＳ15において、予約が確定した時刻から、例えば、３分以内に予約した予約ボックスに物品を預け入れるか、若しくは予約をキャンセルした場合には予約料金は課金されないが、予約が確定した時刻から３分を経過した場合には、所定の予約料金が予約人に課金される。
【０１１０】
課金方法は予約人が予め登録した携帯電話機１の電話番号や銀行等の口座番号からの自動引落し或いはクレジットカード等に対して課金される。そして、図８（ｋ）に示すように、予約は２４時間のみ有効である旨のメッセージが表示される。
【０１１１】
また、図６に示す前記ステップＳ９において、預入人として予め中央管理センター11に登録された指定業者を選定する場合には、ステップＳ16に進んで業者を指定した後、ステップＳ17において物品引渡し条件を入力する。
【０１１２】
商品等の物品の代金を受渡しボックス２で決済する場合や、コンビニエンスストアや駅売店等で決済する場合や、ｅコマース（電子商取引）等の通信販売において決済や配達をコンビニエンスストア等に依頼せず、自社システムや銀行振込等の決済専門の独立した決済システムを別途活用する場合（以下、「別途決済」という）にはステップＳ18に進んで取引決済番号を入力し、図７に示す前記ステップＳ10に進む。
【０１１３】
即ち、代引決済を条件として通信販売で購入した商品の引渡しに受渡しボックス２を利用する場合、買主（物品の受取人で予約人）と、売主（物品の発送人）は商品の内容、売買金額、決済方法及び受渡し方法等に関して事前に合意した上で、当該取引の取引決済番号（例えば、契約番号や伝票番号等）が売主から買主に事前に通知されている。
【０１１４】
そして、受渡しボックス２を商品等の物品の代引決済及び受渡し手段として活用する旨を買主（受取人）と事前に合意した売買決済金額を売主（発送人）は、取引決済番号と共に中央管理センター11へ事前に通知登録する。尚、この時点で当該物品が受渡しボックス２に収まる大きさか否かを売主と中央管理センター11間で確認する。
【０１１５】
売主は入金を確認するまで物品の引渡しを保留するのが望ましいため図６に示す前記ステップＳ17において、予約人は決済完了後物品の引渡しを行う旨の入力を行う。
【０１１６】
受渡しボックス２のコントロールパネル３に設けられた物品の決済を行う決済手段を兼ねるＣＰＵ６により別途決済による決済履行が行われたか否かを中央管理センター11の中央コンピュータ10にコントロールパネル３の送受信部５や中央コンピュータ10のサーバ装置10ａ等の通信手段を介して送受信して問い合わせ、物品受渡し条件の履行を確認した上で受渡しボックス２のボックスＩＤ情報及び受取ＩＤ情報が、予約または預入の段階で記憶手段となるメモリ７，12に記憶されたものと一致した場合に解錠制御手段となるコントロールパネル３のＣＰＵ６により施錠機構８を制御して受渡しボックス２を解錠する。
【０１１７】
また、図６に示す前記ステップＳ３において、既に登録した予約をキャンセルする場合には、予約ロケーション番号からなる予約ボックスＩＤ番号と、予約ＩＤ番号とを入力して予約をキャンセルする（ステップＳ19、Ｓ20）。
【０１１８】
また、図６に示す前記ステップＳ４において、予め登録した契約ボックスが有る場合には、ステップＳ９に進み、前述したと同様な操作を行って予約を行う。
【０１１９】
また、図６に示す前記ステップＳ７において、希望に添う空きボックスが無い場合、或いは図７に示す前記ステップＳ11において予約を確定しない場合には、例えば、図８（ｇ）に示す「２．キャンセル」等を選択して確定し、アクセスを切断して終了する（図６のステップＳ21）。
【０１２０】
図３において、中央管理センター11では、受渡しボックス位置情報出力手段を兼ねる中央コンピュータ10により受渡しボックス位置情報ＤＢ18から予約が登録された特定の受渡しボックス２の位置情報を抽出する。位置情報としては、例えば、「東京都渋谷区道玄坂２−29−20  長谷川スカイラインビル  １階  東急ハンズ前」等のテキスト文書データで表記されたものが採用出来る。
【０１２１】
ナビゲーション実行ＩＤ情報記憶手段となるナビゲーション実行ＩＤ情報データベース（以下、「ナビゲーション実行ＩＤ情報ＤＢ」）19には、各利用者が予め登録した移動体の各種のナビゲーション装置20において、中央管理センター11のサーバ装置10ａからインターネット９を介して送受信部21で受信された受渡しボックス２の位置情報から自動的に移動目的地情報を入力してナビゲーション装置20によるナビゲーションを実行するナビゲーション実行ＩＤ情報が記憶されている。ナビゲーション実行ＩＤ情報としては、例えば、ナビゲーション装置20のナビゲーション実行手段を兼ねるＣＰＵ22に予め設定された実行プログラムに応じて例えば「ＧＯ  ＮＡＶＩ」等のプログラム言語等が適宜採用される。
【０１２２】
そして、予約された特定の受渡しボックス２の予約ボックスＩＤ情報（例えば「００１Ｃ００３」）に応じて中央管理センター11の中央コンピュータ10が兼ねる受渡しボックス位置情報出力手段により受渡しボックス位置情報ＤＢ18から抽出して出力された特定の受渡しボックス２の位置情報（例えば「東京都渋谷区道玄坂２−29−20  長谷川スカイラインビル  １階  東急ハンズ前」）と、携帯電話機１から発信された個人ＩＤ情報となる該携帯電話機１自身の電話番号等に基づいて、その電話番号に関連付けられて予めナビゲーション実行ＩＤ情報ＤＢ19に格納された利用者が装備するナビゲーション手段となるナビゲーション装置20に移動目的地情報を入力してナビゲーションを実行するためのナビゲーション実行ＩＤ情報（例えば「ＧＯ  ＮＡＶＩ」）とを、ナビゲーション実行ＩＤ情報関連付け手段を兼ねる中央コンピュータ10が関連付け（例えば「ＧＯ  ＮＡＶＩ＃東京都渋谷区道玄坂２−29−20  長谷川スカイラインビル  １階  東急ハンズ前」）、その関連付けられたナビゲーション実行ＩＤ情報及び特定の受渡しボックス２の位置情報（例えば「ＧＯ  ＮＡＶＩ＃東京都渋谷区道玄坂２−29−20  長谷川スカイラインビル  １階  東急ハンズ前」）をサーバ装置10ａから送信し、インターネット９を介して移動体のナビゲーション装置20の送受信部21により受信する。
【０１２３】
移動体のナビゲーション装置20により受信されたナビゲーション実行ＩＤ情報及び特定の受渡しボックス２の位置情報（例えば「ＧＯ  ＮＡＶＩ＃東京都渋谷区道玄坂２−29−20  長谷川スカイラインビル  １階  東急ハンズ前」）は記憶手段となるメモリ24に随時記憶され、ナビゲーション実行ＩＤ情報（例えば「ＧＯ  ＮＡＶＩ」）に基づいてナビゲーション実行手段となるＣＰＵ（中央演算装置）22によりナビゲーション装置20によるナビゲーションを実行すると共に、特定の受渡しボックス２の位置情報（例えば「東京都渋谷区道玄坂２−29−20  長谷川スカイラインビル  １階  東急ハンズ前」）に基づいてナビゲーション装置20により移動体の現在位置から特定の受渡しボックス２が設置された移動目的地までの道案内を携帯電話機１の表示手段となるディスプレイ１ａに表示させる。
【０１２４】
尚、本実施形態では携帯電話機１にナビゲーション装置20が組み込まれた場合の一実施例について説明するが、例えば、図１に示すように、移動体として、予約人、預入人、配達人或いは受取人の自動車26に組み込まれたナビゲーション装置20を利用して、該ナビゲーション装置20により自動車26の現在位置から特定の受渡しボックス２が設置された移動目的地までの道案内をナビゲーション装置20の表示手段となるディスプレイに表示させることも出来る。また、ナビゲーション装置20による道案内はスピーカー等による音声案内を採用することも出来る。
【０１２５】
例えば、携帯電話機１と自動車26のそれぞれのナビゲーション装置20ごとにナビゲーション実行ＩＤ情報を使い分ける場合には、例えば携帯電話機１であれば「ＧＯ  ＮＡＶＩ  ＭＯＢＩＬＥ  ＰＨＯＮＥ」、自動車26であれば「ＧＯ  ＮＡＶＩ  ＡＵＴＯＭＯＢＩＬＥ」等をナビゲーション実行ＩＤ情報として適宜設定し、特定の受渡しボックス２の位置情報（例えば「東京都渋谷区道玄坂２−29−20  長谷川スカイラインビル  １階  東急ハンズ前」）と、携帯電話機１と自動車26のそれぞれのナビゲーション装置20ごとに設定され、予めナビゲーション実行ＩＤ情報ＤＢ19に記憶されたナビゲーション実行ＩＤ情報（例えば「ＧＯ  ＮＡＶＩ  ＭＯＢＩＬＥ  ＰＨＯＮＥ」または「ＧＯ  ＮＡＶＩ  ＡＵＴＯＭＯＢＩＬＥ」）とを適宜関連付けて各移動体のナビゲーション装置20に送信すれば良い。
【０１２６】
次に図９〜図13を用いて物品を預け入れる時、及び物品を取り出す時の動作について説明する。先ず、前述した移動体のナビゲーション装置20により特定の受渡しボックス２が設置された移動目的地までの道案内に誘導されつつ受渡しボックス２に出向いた利用者が、図４に示すように、コントロールパネル３の前に立つと、図示しない人感センサが感知してコントロールパネル３が作動する（図９のステップＳ31）。
【０１２７】
次にコントロールパネル３の入力手段３ａにより入出荷の指示を行う（図９のステップＳ32）。図９に示すステップＳ32において、物品を預け入れる作業を選択した場合、ステップＳ33において、預入予約が有るか否かを選択する。
【０１２８】
預入予約が有る場合には、図13に示す受渡しボックス２のコントロールパネル３の表示手段３ｂに表示された照会画面14に予約ロケーション番号と、予約ボックス番号とにより構成された予約ボックスＩＤ番号と、個々の予約行為毎に付与された固有の予約ＩＤ番号を、受渡しボックス２に設けられたテンキーやタッチパネル等の入力手段３ａを用いて入力する（図９のステップＳ34）。
【０１２９】
預入予約を行った予約人と預入人とが異なる場合（例えば預入人が配達人の場合）には、予め、予約ボックスＩＤ番号と予約ＩＤ番号とを知得している予約人から預入人に対してその予約ボックスＩＤ番号と予約ＩＤ番号とを電子メール等により通知しておくことで預入人が中央管理センター11に登録していない第三者であっても予約された受渡しボックス２に物品を預け入れることが出来る。
【０１３０】
図９に示すステップＳ34で入力された予約ボックスＩＤ番号と予約ＩＤ番号とを照合して正規の番号である場合には（ステップＳ35）、予約された受渡しボックス２のランプ３ｅが点滅し（ステップＳ36）、予約時に事前に設定された物品の引渡し条件が表示手段３ｂに表示され（ステップＳ37）、更に、予約人に予約料金を課金する旨が表示手段３ｂに表示される（ステップＳ38）。
【０１３１】
尚、図９に示す前記ステップＳ35において、前記ステップＳ34で入力された予約ボックスＩＤ番号と予約ＩＤ番号とを照合した結果が正規の番号でない場合には、「正しい予約ボックスＩＤ番号と予約ＩＤ番号を入力してください。」等のメッセージを表示手段３ｂに表示して、再入力を促し、所定の回数再入力しても正規の番号が入力されない場合には自動的に終了する。また、図示しないキャンセルボタンにより作業をキャンセルすることも出来る。
【０１３２】
次に図９に示すステップＳ39において、予約ボックスを利用するか否かを選択し、予約ボックスを利用する場合には、ステップＳ40に進んで、予約された受渡しボックス２の扉が解錠され、予約の場合には予約人に解錠されたことが通知される。
【０１３３】
そして、赤外線センサ３ｄが作動し（ステップＳ41）、受渡しボックス２の扉を開けて物品を入荷し（ステップＳ42）、扉を閉めると（図10のステップＳ43）、赤外線センサ３ｄが物品を検知する（図10のステップＳ44）。
【０１３４】
尚、図10に示すステップＳ44において、赤外線センサ３ｄにより物品の検知が出来なかった場合には、「預け入れる物品をマークされた所定の位置に置いてください。」等のメッセージを表示手段３ｂに表示し、赤外線センサ３ｄにより物品が検知されるまで図９のステップＳ41〜図10のステップＳ44を繰り返す。尚、３回繰り返しても赤外線センサ３ｄにより物品が検知されない場合には、図10のステップＳ50に進んでキャンセルされ、その受渡しボックス２の扉がオートロックされる。
【０１３５】
図10に示す前記ステップＳ44において、赤外線センサ３ｄにより物品が検知されると、課金を開始する旨のメッセージが表示手段３ｂに表示され、課金が開始される（図10のステップＳ45）。
【０１３６】
図10に示すステップＳ46において、預入人は、預入人自身、或いは予約人、或いは第三者の受取人を指定するが、予約の場合は予約人が受取人として自動的に指定される。また、コンビニエンスストアや駅売店で決済を行う場合も予約人が受取人として設定される。
【０１３７】
受取人の指定が完了すると、その受渡しボックス２の扉がオートロックされ、表示手段３ｂに入荷完了が表示される（図10のステップＳ47）。その後、表示手段３ｂが節電モードに切り換わり、利用記録と、その受渡しボックス２を利用して行う物品の受渡し行為に固有の受取ＩＤ情報となる受取ＩＤ番号がプリンタ３ｆにより印刷されて出力される（図10のステップＳ48）。
【０１３８】
尚、受取人が預入人で且つ携帯電話機１の電話番号を個人認証番号（ＩＤ）として活用した場合、携帯電話機１の電話番号が受取ＩＤ番号となる旨を表示する。また、予約人が受取人の場合には、受取ＩＤ番号は印刷出力せずに予約人に通知される。但し、コンビニエンスストアや駅売店での代引決済の場合はコンビニエンスストアや駅売店に受取ＩＤ番号と取引決済番号を通知し、印刷出力も予約人への通知もしない。また、受渡しボックス２の利用料金が受取人負担の場合には受取ＩＤ番号は印刷出力せずに受取人に通知する。
【０１３９】
また、図９に示す前記ステップＳ33において、預入予約が無い場合にはステップＳ51に進み、預入人が携帯電話機１を所持して該携帯電話機１の電話番号が受取ＩＤ番号に設定され、該携帯電話機１の電話番号が課金先として中央管理センター11に登録されている場合には、「登録した携帯電話機を利用する」を選択してステップＳ52において携帯電話機１をかける。
【０１４０】
携帯電話機１を所持している場合には、該携帯電話機１自身の電話番号、或いは通話音声が受渡しボックス２の予約や物品の預入や取出しのための解錠を行う際の認証情報及び該受渡しボックス２の利用料金の課金先を兼ねることが出来る。
【０１４１】
また、ステップＳ51において、登録した携帯電話機１を所持していない場合で、銀行等の指定口座からの自動引落しやクレジットカード等を課金先としている場合は、「会員番号と暗証番号を入力する、またはカードの読み込みと暗証番号を入力する」を選択して受渡しボックス２のコントロールパネル３に設けられた入力手段３ａを利用して予め中央管理センター11に登録された会員番号と暗証番号を入力するか、カードリーダ３ｇによりカードを読み込ませて暗証番号を入力する（ステップＳ69）。
【０１４２】
次に図９に示すステップＳ53において、受渡しボックス２の利用料金の負担者を指定し、利用料金の負担者が預入人である場合には、ステップＳ54に進む。
【０１４３】
次にステップＳ54において、利用するボックスが契約したボックスであるかフリーのボックスであるかを選択し、フリーの受渡しボックス２を選択した場合には、預入人に課金する旨を表示手段３ｂに表示し（ステップＳ55）、空ボックスのランプ３ｅが点滅する（ステップＳ56）。
【０１４４】
そして、空ボックスの中から利用するボックスを選択して入力手段３ａによりボックス番号を入力すると（ステップＳ57）、前述したようにステップＳ40に進んで所定の受渡しボックス２に物品を預け入れることが出来る。
【０１４５】
また、図９に示す前記ステップＳ54において、契約ボックスを選択した場合には、予め契約した受渡しボックス２のランプ３ｅが点滅し（ステップＳ70）、前述したようにステップＳ40に進んで契約した受渡しボックス２に物品を預け入れることが出来る。
【０１４６】
図９に示す前記ステップＳ53において、受渡しボックス２の利用料金を受取人が負担する場合には、図９に示すステップＳ58に進んで、空きボックスのランプ３ｅが点滅し、空ボックスの中から利用するボックスを選択して入力手段３ａによりボックス番号を入力し（ステップＳ59）、更に受取人の会員ＩＤ番号を入力する（ステップＳ60）。
【０１４７】
そして、中央管理センター11の中央コンピュータ10は、その入力された受取人の会員ＩＤ番号に基づいて、事前に登録された会員のメールアドレスに電子メールでその受取人に対して受渡しボックス２のボックスＩＤ情報と、サイズ、利用料金及び預入人の会員ＩＤ番号に基づいた預入人の個人情報を通知する。
【０１４８】
そして、中央管理センター11の中央コンピュータ10は、その受渡しボックス２のコントロールパネル３のＣＰＵ６を制御して施錠機構８により、その受渡しボックス２が解錠され（ステップＳ63）、赤外線センサ３ｄが作動し（図10のステップＳ64）、受渡しボックス２の扉を開けて物品を入れ（図10のステップＳ65）、受渡しボックス２の扉を閉める（図10のステップＳ66）。
【０１４９】
そして、赤外線センサ３ｄにより物品が検知され（図10のステップＳ67）、課金の開始を表示手段３ｂに表示すると共に、受取人にも課金の開始を通知し（図10のステップＳ68）、図10のステップＳ47に進んで受渡しボックス２に物品を預け入れることが出来る。
【０１５０】
また、図10のステップＳ67において、赤外線センサ３ｄにより物品の検知が出来なかった場合には、「預け入れる物品をマークされた所定の位置に置いてください。」等のメッセージを表示手段３ｂに表示し、赤外線センサ３ｄにより物品が検知されるまで図10のステップＳ64〜Ｓ67を繰り返す。尚、３回繰り返しても赤外線センサ３ｄにより物品が検知されない場合には、図10のステップＳ50に進んでキャンセルされ、その受渡しボックス２の扉がオートロックされる。
【０１５１】
また、図９の前記ステップＳ39において、預入人がステップＳ37で表示された物品引渡し条件が正しくない等何らかの都合で予約ボックスを利用しない場合は、図示しない予約キャンセルボタンを押して予約をキャンセルし、予約がキャンセルされた旨を予約人に通知した後（図９のステップＳ49）、図10のステップＳ50に進んでキャンセルされる。
【０１５２】
例えば、受渡しボックス２に物品を預け入れる配達業者等の預入人は、予め物品を受け取る受取人（予約人）に対して受渡しボックス２の予約を依頼した後、受取人が受渡しボックス２を予約する。また、受渡しボックス２を利用する際の初期料金を物品を預け入れる預入人に対して課金することでも良い。
【０１５３】
また、予め予約をせずに受渡しボックス２の前で空いた受渡しボックス２に対して物品の預け入れを受取人に承諾してもらう場合には、コントロールパネル３の入力手段３ａにより、空いた受渡しボックス２のボックスＩＤ情報と、物品の預入人の個人認証情報と、該物品の受取人の個人認証情報を入力し、入力手段３ａにより入力された受取人の個人認証情報に基づいてインターネット９及び中央コンピュータ10を経由して該受取人に向けて物品の預け入れ依頼があったことを報知すると共に、その報知を受けた受取人から承諾したことを受理して解錠制御手段となる施錠機構８が受渡しボックス２を解錠する。
【０１５４】
図９に示す前記ステップＳ32において、物品を取り出す作業を選択した場合、預入人或いは中央管理センター11から通知された利用ボックス番号を、受渡しボックス２のコントロールパネル３に設けられた入力手段を兼ねる表示手段(パネル）３ｂにタッチする（図11のステップＳ81）。
【０１５５】
次に図11に示すステップＳ82において、携帯電話機１の電話番号を鍵とする場合には、携帯電話機１をかけ（図11のステップＳ98）、携帯電話機１を鍵としない場合には受取ＩＤ番号を受渡しボックス２のコントロールパネル３に設けられた入力手段３ａを利用して入力する（図11のステップＳ83）。
【０１５６】
尚、預け入れの時に携帯電話機１の電話番号を鍵として活用した場合には、携帯電話機１をかけることにより受取ＩＤ番号の入力が完了する。
【０１５７】
そして、図11に示すステップＳ84において、受取ＩＤ番号の照会を行い、受取ＩＤ番号が正規の番号である場合には、ステップＳ85に進んで物品引渡し条件を入力する。また、ステップＳ84において、入力された受取ＩＤ番号が間違っている場合にはステップＳ99に進んで利用不可となり表示手段３ｂに「受取ＩＤ番号が間違っています。」等のメッセージが表示された後、該表示手段３ｂを節電モードに切り換える。
【０１５８】
図11に示す前記ステップＳ84において、入力された受取ＩＤ番号が正規の番号である場合には、ステップＳ85において、受渡しボックス２で物品の代引決済を行う場合や別途決済を行う場合にはステップＳ86に進み、受渡しボックス２で代引決済する場合には中央管理センター11の中央コンピュータ10に問い合わせ、事前に登録された代引き金額が表示手段３ｂに表示される（ステップＳ87）。
【０１５９】
中央コンピュータ10は、物品が商品である場合で物品引渡し条件が存在する場合に予約ＩＤ番号に付与された識別コードに対応する識別コードを受取ＩＤ番号にも付与しており、例えば、一般の予約ＩＤ番号「＊００７」に物品引渡し条件識別コード「ａ」が付与された物品引渡し条件付予約ＩＤ番号「＊００７ａ」の場合には、「＃００７ａ」等の物品引渡し条件付受取ＩＤ番号を付与する。
【０１６０】
中央コンピュータ10は識別コード付きの受取ＩＤ番号からこれに対応する予約ＩＤ番号、更には予約人である受取人が予約時に入力した取引決済番号を遡って検索し、中央管理センター11に事前に登録されている代引決済金額を取引決済番号同士を検索して突き合わせることにより受渡しボックス２の解錠に必要となる代引金額をメモリ12に格納されたデータベースから抽出する。
【０１６１】
次に図11に示すステップＳ88において、決済方法の選択を行う。クレジットカードやデビットカード等の場合にはカードリーダ３ｇにカードを挿入してカードを読み込み、カード暗証番号を入力し（ステップＳ89）、図12に示すステップＳ91に進む。また、銀行等の口座引き落としや電話料金に加算する場合には、予め登録した会員ＩＤ番号を入力するか、若しくは携帯電話機１をかけて携帯電話番号からなる会員ＩＤ番号を入力し（図12のステップＳ90）、図12に示すステップＳ91に進む。
【０１６２】
また、図11に示す前記ステップＳ88において、決済方法が選択されなかった場合には、「物品の代金が未決済です」等のメッセージが表示手段３ｂに表示され（図11のステップＳ100）、その後、図11に示す前記ステップＳ99に進んで利用不可となり表示手段３ｂにその旨が表示された後、該表示手段３ｂを節電モードに切り換える。
【０１６３】
また、図11に示す前記ステップＳ86において、受渡しボックス２での決済を選択しなかった場合には、中央コンピュータ10に別途決済での入金を問い合わせて（図11のステップＳ101）、図12に示すステップＳ102において入金の確認をし、入金が確認された場合には図12のステップＳ91に進む。
【０１６４】
また、図12に示す前記ステップＳ102において入金が確認されなかった場合には、図11に示す前記ステップＳ100、Ｓ99に進み、利用不可となり表示手段３ｂにその旨が表示された後、該表示手段３ｂを節電モードに切り換える。
【０１６５】
別途決済では、売主は中央コンピュータ10に対して入金確認を自ら入力するか、或いは売主が所有する決済コントロールコンピュータと、中央コンピュータ10とをリンクさせて自動的に入金確認が入力されるようになっている。
【０１６６】
また、図11に示す前記ステップＳ85において、コンビニエンスストアや駅売店で決済を行う場合や物品の代金を支払う必要がない等の引渡し条件がない場合には、図12に示すステップＳ91に進む。
【０１６７】
図12のステップＳ91において、指定されたその利用ボックス番号の受渡しボックス２の扉が解錠されてランプ３ｅが点滅し、課金が停止する。
【０１６８】
そして、図12のステップＳ92において、指定された受取人の区別を行い、指定された受取人が預入人か若しくは予約人である場合には、その利用ボックス番号の受渡しボックス２の扉を開けて物品を取り出して（ステップＳ93）、ボックスの扉を閉める（ステップＳ94）。
【０１６９】
また、図12の前記ステップＳ92において、指定された受取人が預入人や予約人以外の中央管理センター11に登録されていない第三者である場合には、利用料金負担者となる中央管理センター11に登録された予約人或いは預入人に受渡しボックス２が解錠されたことを通知する（ステップＳ103）。
【０１７０】
そして、赤外線センサ３ｄにより物品が検知されなくなったら（ステップＳ95）、受渡しボックス２の扉がオートロックされ（ステップＳ96）、表示手段３ｂを節電モードに切り換える（ステップＳ97）。尚、前記ステップＳ95において赤外線センサ３ｄによる物品の検知がされなくなるまでステップＳ93〜Ｓ95を繰り返す。
【０１７１】
また、物品を預け入れる預入人が、例えば配達業者等である場合には、該物品を受け取る受取人（予約人）に対して受渡しボックス２の予約を依頼した後、該受取人（予約人）が受渡しボックス２を預入人のために予約することが出来る。
【０１７２】
また、受渡しボックス２を利用して予約を行う予約人を予め登録しておき、その予約人に対して受渡しボックス２の利用料金を課金することが出来る。また、受渡しボックス２を利用する際の初期料金を物品を預け入れる預入人に対して課金することも出来る。
【０１７３】
図14（ａ）は予約行為を図式化したものである。先ず、預入人である配達人が、予約人である受取人に予約を依頼し「(1)」、その後、受取人が受渡しボックス２の予約ロッカーを指定する「(2)」。尚、物品の引き渡しのみの場合もあるが、特に、物品の代金の決済を物品の引き渡しと同時に行う場合（以下、「代引決済」という）には、「(2)」の時に中央管理センター11に対して代引決済の指示を行う。
【０１７４】
その後、中央管理センター11から予約人である受取人に対して予約ＩＤ番号と予約ロッカー番号が通知される「(3)」。
【０１７５】
受取人はその予約ＩＤ番号と予約ロッカー番号を配達人に通知する「(3)′」。また、「(2)」で、受取人が予め登録された配達人の認証番号を入力すると、予約ＩＤ番号と予約ロッカー番号が受渡しボックス２から配達人に対しても通知される「(3)″」。
【０１７６】
図14（ｂ）は、入出荷行為を図式化したものであり、図14（ａ）に示す「(3)′」または「(3)″」により予約ＩＤ番号と予約ロッカー番号を通知された配達人は受渡しボックス２に出向いて予約ＩＤ番号と予約ロッカー番号を入力して受渡しボックス２に物品を入れる「(4)」。
【０１７７】
受渡しボックス２で物品を預かると、中央管理センター11から受取ＩＤ番号が受取人に電子メールで通知される「(5)」。受取人は、その受取ＩＤ番号と個人認証番号を入力して「(8)」、受渡しボックス２から物品を取り出す「(9)」。
【０１７８】
尚、物品の引き渡しのみの場合もあるが、特に、物品の代金の決済を物品の引き渡しと同時に行う代引決済の場合には、受渡しボックス２のコントロールパネル３に設けられたカードリーダ３ｇにクレジットカードやデビットカード等を挿入して指定口座から自動引落しにて代引決済を行うことが出来、携帯電話機１をかけて電話料金に課金して代引決済を行うことも出来る。
【０１７９】
代引決済の場合は(8)の後で中央コンピュータ10から代引金額等を呼び出して表示手段３ｂに表示し、クレジットカードやデビットカード等の各種カードの読取りや携帯電話機１をかけることにより決済が行われる。
【０１８０】
図14（ｃ）は、コンビニエンスストアや駅売店等が決済を代行する場合を図式化したものであり、図14（ａ）に示す「(3)′」または「(3)″」により予約ＩＤ番号と予約ロッカー番号を通知された配達人はナビゲーション装置20により道案内されて受渡しボックス２に行き、予約ＩＤ番号と予約ロッカー番号を入力して受渡しボックス２に物品を入れる「(4)」。
【０１８１】
受渡しボックス２で物品を預かると、中央管理センター11から受取ＩＤ番号が予め登録されたコンビニエンスストアや駅売店等に電子メール等により通知される「(5)」。コンビニエンスストアや駅売店等は受渡しボックス２の近傍で営業する店舗でも良いし、受取人が指定する店舗でも良い。また、コンビニエンスストアや駅売店等が受渡しボックス２に物品を預ける配達人を兼ねる場合もあり得る。
【０１８２】
一方、受取人は物品が配達人に渡される前に予め売主から入荷予定日等が伝票等により通知されており、これに基づいて受渡しボックス２を予約した後、コンビニエンスストアや駅売店等に出向いて伝票を渡すと共に支払いを行い「(6)」、受取ＩＤ番号を受け取る「(7)」。
【０１８３】
受取ＩＤ番号を知得した受取人は受渡しボックス２に出向いて、その受取ＩＤ番号と個人認証番号を入力して「(8)′」、受渡しボックス２から物品を取り出す「(9)′」。
【０１８４】
上記図14（ａ）の「(2)」において、代引決済を指定した場合、予約ＩＤ番号に、その代引決済を示す識別コードが付与され、図14（ｂ）に示すように、カード等による決済を「(9)」の出荷条件としたり、図14（ｃ）において「(5)」の受取ＩＤ番号の提示／通知先を決済代行人とすることが出来るようになっている。
【０１８５】
即ち、受渡しボックス２の予約人（受取人）による予約、または預入人による預入を受理した段階で中央管理センター11が発行する予約行為に固有の予約ＩＤ情報である予約ＩＤ番号、或いは受渡しボックス２を利用して行う物品の受渡し行為に固有の受取ＩＤ情報である受取ＩＤ番号に関連付けられた決済等の物品受渡し条件が中央コンピュータ10の記憶手段となるメモリ12に記憶されており、物品受渡し条件が物品の決済を伴う場合に受取ＩＤ番号を決済代行人であるコンビニエンスストアや駅売店等にのみ通信手段となる電子メール等により通知され、該コンビニエンスストアや駅売店等で決済等を行って物品受渡し条件が履行された段階で受渡しボックス２を解錠するための受取ＩＤ番号が提示されてはじめて受渡しボックス２を解錠することが出来る。
【産業上の利用可能性】
【０１８６】
本発明の活用例として、物品の受渡しを行うメールボックス（私書箱を含む)、宅配ボックス、クリーニングボックス、コインロッカー等の受渡しボックス等のシステム及びそれを利用した予約方法及び課金方法に適用することが出来る。
【図面の簡単な説明】
【０１８７】
【図１】本発明に係る受渡しボックスシステムの全体構成を示す図である。
【図２】本発明に係る受渡しボックスシステムの制御系の構成を示す図である。
【図３】中央管理センターと移動体に設けられるナビゲーションシステムの制御系のブロック図である。
【図４】受渡しボックスの一例を示す斜視図である。
【図５】本発明に係る受渡しボックスシステムにおいて受渡しボックを予約する際の予約フローチャートである。
【図６】本発明に係る受渡しボックスシステムにおいて受渡しボックを予約する際の予約フローチャートである。
【図７】本発明に係る受渡しボックスシステムにおいて受渡しボックを予約する際の予約フローチャートである。
【図８】携帯電話機を利用して予約をする際の表示画面の一例を示す図である。
【図９】本発明に係る受渡しボックスにおいて物品を預ける時と受け取る時の手順を示すフローチャートである。
【図１０】本発明に係る受渡しボックスにおいて物品を預ける時と受け取る時の手順を示すフローチャートである。
【図１１】本発明に係る受渡しボックスにおいて物品を預ける時と受け取る時の手順を示すフローチャートである。
【図１２】本発明に係る受渡しボックスにおいて物品を預ける時と受け取る時の手順を示すフローチャートである。
【図１３】本発明に係る受渡しボックスにおいて、予約ボックスＩＤ情報と予約ＩＤ情報を入力する際の照会画面を示す図である。
【図１４】本発明に係る受渡しボックスシステムを利用して代引決済を行うプロセスを説明する図である。
【符号の説明】
【０１８８】
１…携帯電話機
１ａ…ディスプレイ
１ｂ…テンキー
１ｃ…電波送信機
２…受渡しボックス
３…コントロールパネル
３ａ…入力手段
３ｂ…表示手段
３ｃ…スピーカー
３ｄ…赤外線センサ
３ｅ…ランプ
３ｆ…プリンタ
３ｇ…カードリーダ
３ｈ…カメラ
３ｊ…バーコードリーダ
３ｋ…電波受信機
４…制御部
５…送受信部
６…ＣＰＵ
７…メモリ
８…施錠機構
９…インターネット
10…中央コンピュータ
10ａ…サーバ装置
11…中央管理センター
11ａ…コールセンター
12…メモリ
13ａ…携帯電話番号入力欄
13ｂ…会員ＩＤ番号入力欄
14…照会画面
18…受渡しボックス位置情報ＤＢ
19…ナビゲーション実行ＩＤ情報ＤＢ
20…ナビゲーション装置
21…送受信部
22…ＣＰＵ
23…測位部
24…メモリ
25…地図情報ＤＢ
26…自動車
【図１】
2005071301.tif 000003
【図２】
2005071301.tif 000004
【図３】
2005071301.tif 000005
【図４】
2005071301.tif 000006
【図５】
2005071301.tif 000007
【図６】
2005071301.tif 000008
【図７】
2005071301.tif 000009
【図８】
2005071301.tif 000010
【図９】
2005071301.tif 000011
【図１０】
2005071301.tif 000012
【図１１】
2005071301.tif 000013
【図１２】
2005071301.tif 000014
【図１３】
2005071301.tif 000015
【図１４】
2005071301.tif 000016